(57)【特許請求の範囲】
【請求項１】
リヤシート（１０）後方のラゲージルーム（１１）の上面開口の後半部分を覆うリヤパーセルシェルフ本体（３０）と、一端側がリヤパーセルシェルフ本体（３０）の前端部付近に取り付けられる一方、他端側がリヤシート（１０）近傍に取り付けられることにより、ラゲージルーム（１１）の上面開口の前半部分を覆うネット（４０）とからなるネット付リヤパーセルシェルフ（２０）において、
前記ネット（４０）は、左右両端縁に設けられた縁取りシート（４１）上面のそれぞれ前後に、互いに着脱可能な面ファスナー（６０ａ，６０ｂ）を備え、上記ネット（４０）を前後方向で２つ折りし、上記面ファスナー（６０ａ，６０ｂ）同士を係着することにより、ネットポケット（Ａ）を形成することが可能であるとともに、前記リヤパーセルシェルフ本体（３０）は、前記ネット（４０）の前側に設けられた面ファスナー（６０ａ）を係止する不織布シート（６１）を有し、リヤパーセルシェルフ本体（３０）の裏面（３０ａ）側にネット（４０）を重合した状態で上記不織布シート（６１）に対してネット（４０）の面ファスナー（６０ａ）を係止することにより、リヤパーセルシェルフ本体（３０）とネット（４０）との一体化を可能としたことを特徴とするネット付リヤパーセルシェルフ。
【請求項２】
前記縁取りシート（４１）上面に取り付けられる後側の面ファスナー（６０ｂ）は、ネット（４０）を前後方向で２つ折りした折れ線位置と、リヤパーセルシェルフ本体（３０）に対する接合端との間のほぼ中間位置に設定されていることを特徴とする請求項１に記載のネット付リヤパーセルシェルフ。
【発明の詳細な説明】
【０００１】
【発明の属する技術分野】
この発明は、車両のリヤシート後方に設けられるラゲージルームの上面開口を覆うネット付リヤパーセルシェルフに係り、特に、リヤパーセルシェルフの脱着操作、格納操作時における良好な取扱い性が確保されるとともに、ネットの機能性をも高めることができるネット付リヤパーセルシェルフに関する。
【０００２】
【従来の技術】
図５に示すように、車両のリヤシート１の後方には、各種荷物類を搭載できるラゲージルーム２が設置されており、ラゲージルーム２内に搭載する荷物類をカバーするとともに、それ自体にも小荷物等を載置できる棚機能をもつリヤパーセルシェルフ３がラゲージルーム２の上面開口のほぼ後半部分を覆うように設置されており、リヤシート１とリヤパーセルシェルフ３との間の空間、すなわちラゲージルーム２の上面開口の前半部分にはネット４が設置され、ネット４の可撓性により、リヤシート１のスライド操作やリクライニング操作を許容する構成となっている。
【０００３】
そして、上記リヤパーセルシェルフ３は、ラゲージルーム２の両側壁に内装されるパーセルサイドトリム５上に載置され、ネット４は、前端縁のフレーム４ａの両端にゴムバンド等の弾性体６を介してフック７が取り付けられており、このフック７をリヤシート１やパーセルサイドトリム５に設けられている係止部材８に係止することにより、ネット４が取り付けられている。このネット４は、前端縁のフレーム４ａの側から乗員により丸められ、リヤパーセルシェルフ３の前端側に、バンド部材で係止される。
【０００４】
【発明が解決しようとする課題】
しかしながら、ネット４を一体化したリヤパーセルシェルフ３においては、リヤシート１側からラゲージルーム２内の荷物類を取り出したり、また、リヤシート１をスライド操作、リクライニング操作するために、ネット４を取り外した状態にした場合、ネット４はリヤパーセルシェルフ３の前端縁から鉛直下方に垂れ下がり、ラゲージルーム内の美観を損なう恐れがあるとともに、リヤパーセルシェルフ３の脱着操作時、あるいは格納操作時等、リヤパーセルシェルフ３を取り扱う際、このネット４が障害となり、使い勝手の悪いものとなっていた。また、ネット４を前端縁から丸めてリヤパーセルシェルフ３の前端側にバンド部材で係止すればこのような問題点は多少解決されるが、ネット４を丸める作業が必要であり、使い勝手はやはり悪い。
【０００５】
更に、ネット４はリヤパーセルシェルフ３よりリヤシート１に近く、リヤシート１の乗員が小荷物等を載置するのに便利であるものの、ネット４がほぼフラット状であるため、小荷物類が安定して保持できず、ネット４の小物保持機能が低下するという不具合も指摘されていた。
【０００６】
この発明は、このような事情に鑑みてなされたもので、リヤシートのリクライニング操作やスライド操作に対応できるように、ラゲージルーム内に設置されるネット付リヤパーセルシェルフにおいて、リヤパーセルシェルフの脱着操作、あるいは格納操作時における取扱い性を向上させ、かつネットの機能性を高めたネット付リヤパーセルシェルフを提供することを目的とする。
【０００７】
【課題を解決するための手段】
上記目的を達成するために、本願の請求項１に記載の発明は、リヤシート後方のラゲージルームの上面開口の後半部分を覆うリヤパーセルシェルフ本体と、一端側がリヤパーセルシェルフ本体の前端部付近に取り付けられる一方、他端側がリヤシート近傍に取り付けられることにより、ラゲージルームの上面開口の前半部分を覆うネットとからなるネット付リヤパーセルシェルフにおいて、前記ネットは、左右両端縁に設けられた縁取りシート上面のそれぞれ前後に、互いに着脱可能な面ファスナーを備え、上記ネットを前後方向で２つ折りし、上記面ファスナー同士を係着することにより、ネットポケットを形成することが可能であるとともに、前記リヤパーセルシェルフ本体は、前記ネットの前側に設けられた面ファスナーを係止する不織布シートを有し、リヤパーセルシェルフ本体の裏面側にネットを重合した状態で上記不織布シートに対してネットの面ファスナーを係止することにより、リヤパーセルシェルフ本体とネットとの一体化を可能としたことを特徴とする。
【０００８】
従って、請求項１に記載の発明によれば、ネットの非使用時には、ネットをリヤパーセルシェルフ本体側に折り畳み、面ファスナーと不織布シートとによりネットをリヤパーセルシェルフ本体に係止できるため、リヤパーセルシェルフの脱着操作、格納操作時において、ネットがバタツクことがなく、取扱い性が向上する。
【０００９】
また、ネットを前後方向で２つ折りし、更に、ネット左右両端部の前後の面ファスナー同士を取り付ければ、リヤパーセルシェルフの前端部側にネットポケットを形成することが可能となり、リヤシートに座る乗員は、身体を無理に伸ばしてリヤパーセルシェルフ上に小荷物類を載置しなくても、簡単にネットポケット内に小荷物類を出し入れでき、しかも、ネットポケットの左右両端部は面ファスナーにより取り付けられているため、ネットポケット内の小荷物類がポケット外に落下することがなく、また、ネットを前後で２つ折りし互いに取り付けるための面ファスナーを利用して、リヤパーセルシェルフ本体に設けた不織布シートでネットを係止できるため、ネットの機能性を高めることをができる。
【００１０】
本願の請求項２に記載の発明は、前記縁取りシート上面に取り付けられる後側の面ファスナーは、ネットを前後方向で２つ折りした折れ線位置と、リヤパーセルシェルフ本体に対する接合端との間のほぼ中間位置に設定されていることを特徴とする。
【００１１】
従って、請求項２に記載の発明によれば、ネットを２つ折りした状態で、前後側の面ファスナー同士を係着すれば、ネットポケットの両側部が口開きすることがないため、ネットポケット内に収納した小物類を確実に保持できる。
【００１２】
【発明の実施の形態】
以下、本発明に係るネット付リヤパーセルシェルフの実施形態について、添付図面を参照しながら詳細に説明する。
【００１３】
図１は本発明に係るネット付リヤパーセルシェルフをラゲージルーム内に設置した状態を示す側面図、図２は同ネット付リヤパーセルシェルフの斜視図、図３は同ネット付リヤパーセルシェルフにおけるネットポケットを形成する状態を示す説明図、図４は同ネット付リヤパーセルシェルフにおけるネットの重合状態を示す説明図である。
【００１４】
図１，図２において、車両のリヤシート１０の後方のラゲージルーム１１の上面開口を覆うようにネット付リヤパーセルシェルフ２０が設置されている。
【００１５】
さらに詳しくは、このネット付リヤパーセルシェルフ２０は、ラゲージルーム１１の上面開口の後半部分を覆うリヤパーセルシェルフ本体３０と、リヤパーセルシェルフ本体３０の前端縁に取り付けられ、ラゲージルーム１１の上面開口の前半部分を覆うネット４０とから構成され、ネット４０の弾性作用により、リヤシート１０のスライド動作やリクライニング動作に対応できる構成になっている。
【００１６】
上記リヤパーセルシェルフ本体３０は、本実施形態では、木紛等のフィラーを混入したポリプロピレン樹脂をＴダイ押出成形機によりシート状に押し出し、シート状原反を加熱軟化処理した後、所望型面を有するコールドプレス金型により成形される芯材３１と、芯材３１の表面側に貼着されるクロス，不織布等の表皮材３２とから構成され、図２に示すように、ラゲージルーム１１の上面開口の後半部分の形状に合致して成形されるとともに、その表面には、小物類が落下しないように収容凹部３３が設けられている。
【００１７】
また、リヤパーセルシェルフ本体３０は、裏面巾方向に沿ってレインフォース３４が介装され、リヤパーセルシェルフ本体３０上に重量物を載置しても容易に変形しない構成になっている。
【００１８】
一方、このリヤパーセルシェルフ本体３０の前端縁に設けられるネット４０は、その左右両端縁には、樹脂シート等の縁取りシート４１により端末処理が施され、前端縁に沿ってネット４０をフラット状に規制する樹脂板等からなるフレーム体４２が取り付けられており、このフレーム４２の前側両端末には、ゴムバンド４３を介してフック４４が設けられている。
【００１９】
従って、ネット４０を設置する際には、図２に示すように、パーセルサイドトリム５０に設けたリング等の係止部材５１にフック４４を係止してネット４０を固定するか、あるいは図１に示すように、リヤシート１０のシートバック１０ａに設けたリング等の係止部材５２にフック４４を係止固定するようにしても良い。
【００２０】
ところで、本実施の形態に係るネット付リヤパーセルシェルフ２０は、ネット４０をネットポケットＡとして形成でき、ネット４０の機能性を高めるとともに、リヤパーセルシェルフ本体３０の脱着時、あるいは収容時における良好な取扱い性を確保したことが特徴であり、その構成としては、ネット４０の左右両端部の縁取りシート４１の表面側のそれぞれ前後に保持手段としての面ファスナー６０ａ，６０ｂが左右対称位置に取り付けられている。
【００２１】
従って、ネット４０をネットポケットＡとして使用するには、図３に示すように、ネット４０の前端縁の両側に設けられているフック４４をパーセルサイドトリム５０の後部側の係止部材５１ａに係止するとともに、ネット４０を前後方向で２つ折りし、ネット４０の左右側においてそれぞれ前後側の面ファスナー６０ａ，６０ｂを相互に取り付けることにより、ネット４０を前後方向に２つ折りした深さのネットポケットＡが形成され、リヤシート１０の乗員は、リヤパーセルシェルフ本体３０よりも至近位置にあるネットポケットＡ内に荷物類Ｐを収容でき、また、ネットポケットＡの左右両側は、面ファスナー６０ａ，６０ｂにより互いに保持され閉鎖されるため、ラゲージルーム１１内に小物類が落下することがなく、小荷物類Ｐの確実な収容が可能になる。
【００２２】
このように、ネット４０を使用したネットポケットＡを形成するために設ける面ファスナー６０ａ，６０ｂは、ネット４０の前後方向中央部分を基点として前後対称位置に設定してあるが、必ずしも前後対称位置に設定する必要はなく、ポケット深さの浅いネットポケットＡとするためには、面ファスナー６０ａ，６０ｂの位置をそれぞれ前方側へずらせば良く、そうした場合、ネットポケットＡのポケット深さを浅く設定できるとともに、ポケット開口を広く確保できるため、特に小荷物類の出し入れに便利である。また、ポケット深さを適宜変化させるように、２箇所以上に面ファスナー６０を設けるようにしても良い。
【００２３】
次いで、リヤパーセルシェルフ本体３０をラゲージサイドトリム５０から取り外す際、図４に示すように、ネット４０をリヤパーセルシェルフ本体３０の裏面３０ａ側に折り重ね、特に、前側の面ファスナー６０ａの位置に対応するリヤパーセルシェルフ３０の裏面３０ａに係止手段としての不織布６１が接着等により固定されている。
【００２４】
従って、ネット付リヤパーセルシェルフ２０をラゲージルーム１１のラゲージサイドトリム５０から取り外し、ラゲージルーム１１の適宜箇所に格納する際には、リヤパーセルシェルフ本体３０の裏面３０ａ側にネット４０を重合状態で係止しておけば、リヤパーセルシェルフ本体３０とネット４０とが一体化でき、取扱い操作が極めて良好に行なえ、取扱い性が優れたものとなる。
【００２５】
尚、不織布６１の他に面ファスナー等、係止可能な部材であれば素材は特に限定されない。
【００２６】
【発明の効果】
以上説明した通り、本発明に係るネット付リヤパーセルシェルフは、リヤパーセルシェルフの脱着時、格納時においては、面ファスナーと不織布シートとによりリヤパーセルシェルフ本体とネットとが一体化できるため、取り扱いが容易に行なえるとともに、ネットの左右両端部に少なくとも一対の面ファスナーを設けておけば、ネットを２つ折り状態でその左右両端をそれぞれ固定できるため、リヤパーセルシェルフ本体の前端側にネットポケットを形成でき、荷物類の収容部を簡単に付設できることから、取扱い性を向上させることができるという効果を有する。
【００２７】
また、ネットを前後で２つ折りし互いに取り付けるための面ファスナーを利用して、リヤパーセルシェルフ本体に設けた不織布シートでネットを係止できるため、ネットの機能性を高めることができる。
【図面の簡単な説明】
【図１】本発明に係るネット付リヤパーセルシェルフをラゲージルーム内に設置した状態を示す側面図。
【図２】本発明に係るネット付リヤパーセルシェルフをラゲージルーム内に設置した状態を示す全体図。
【図３】本発明に係るネット付リヤパーセルシェルフにおけるネットによりネットポケットを形成する状態を示す説明図。
【図４】本発明に係るネット付リヤパーセルシェルフにおける取扱い時の荷姿状態を示す説明図。
【図５】従来のネット付リヤパーセルシェルフの構成を示す説明図。
【符号の説明】
１０  リヤシート
２０  ネット付リヤパーセルシェルフ
３０  リヤパーセルシェルフ本体
３１  芯材
３２  表皮材
３３  格納凹部
３４  レインフォース
４０  ネット
４１  縁取りシート
４２  フレーム
４４  フック
５０  パーセルサイドトリム
５１，５１ａ，５２  係止部材
６０（６０ａ，６０ｂ）  面ファスナー
６１  不織布
Ａ  ネットポケット
Ｐ  荷物類
【図１】
0003594220.tif 000002
【図２】
0003594220.tif 000003
【図３】
0003594220.tif 000004
【図４】
0003594220.tif 000005
【図５】
0003594220.tif 000006